(57)【要約】【課題】魚釣用スピニングリールに備えられた様々な機能部材の構成を一切変更すること無く、スプール形成時に当初定めた糸巻量を自在に増減可能とすること。【解決手段】前記スプール５は、後側フランジ部５ａと、釣糸巻回胴部５ｂとスカート部５ｃからなるスプール本体５ｄ、及び、スプール本体５ｄとは別体で形成された前側フランジ部９とで形成されている。また、スプール本体５ｄの前側端部には周方向に複数のネジ孔５ｆが形成された固定部５ｇが形成されている。前側フランジ部９はドラグ調節ツマミへの糸絡みを防ぐ環状突出部９ａと、径方向に突出した環状鍔部９ｂと、ドラグ調節ツマミ６が収容される環状凹部９ｃと、周方向に複数の挿通孔９ｄが形成された固定部９ｅとで構成されている。【選択図】      図２
2005013115.tif 000002
【特許請求の範囲】
【請求項１】
リール本体の前方にスプール軸を介して支持されると共に、後側フランジ部とスカート部と釣糸巻回胴部とで構成されたスプール本体と、スプール本体に一体的に取付け固定される固定部と環状鍔部とで構成された前側フランジ部とを備え、ハンドルの回転で駆動されるロータの回転により釣糸巻回胴部に釣糸が巻回される魚釣用スピニングリールのスプールであって、
前記前側フランジ部における環状鍔部の釣糸巻回胴部側を、スプール軸方向に変位する段部を備えた環状面に形成したことを特徴とする魚釣用スピニングリールのスプール。
【請求項２】
前記前側フランジ部は、前記スプール本体に対して着脱可能であることを特徴とする請求項１記載の魚釣用スピニングリールのスプール。
【発明の詳細な説明】
【０００１】
【発明の属する技術分野】
本発明は、魚釣用スピニングリールのスプールにおける糸巻量の増減方法の改良に関する。
【０００２】
【従来の技術】
従来魚釣用スピニングリールは、ハンドルに連動回転し、スプール軸が嵌挿される駆動筒軸がリール本体の前部に軸受を介して回転可能に支持されており、該駆動軸筒にロータを取付けて、ロータに形成された釣糸案内部で前記スプール軸前部に取付けられたスプールに釣糸を巻回する構成である。
前記スプールは、釣糸巻回胴部の前側及び後側に夫々、前側フランジ部、後側フランジ部とを備えて構成されている。
又、前記スプールの前側フランジ部をスプール本体と別体に形成し、スプール本体に取付け固定した構造は従来から知られており、一般的に用いられている。
【０００３】
前記のように構成されたスプールは、その形状毎に糸巻量が決定されており、リール本体の構成を一切変更せずに糸巻量を変更したい時は、形状の異なるスプールと変更する必要がある。
しかし、形状違いのスプールを形成するには金型を新規で起こす必要があり、非常にコストが掛かるため多くの種類を製作することは難しく、準備できる種類が限られてしまう。
【０００４】
前記不具合を改善するべく特許文献１には、スプールの前側フランジ部と後側フランジ部とを螺合させるべく構成し、間に適宜幅の胴筒を挟着することで釣糸巻回胴部の軸方向長さを変更して糸巻量を変更可能としたものが、また特許文献２には、スプールの釣糸巻回胴部外周に枠片を外装することで糸巻量を減らす構成が、夫々示されている。
【特許文献１】
実開昭５２−２３９８７号公報
【特許文献２】
実開昭５５−８１５７９号公報
【０００５】
【発明が解決しようとする課題】
しかし引用文献１は、スプールにおける釣糸巻回胴部に当たる胴筒の長さを変更して糸巻量を変更する構成の為、前側フランジ部に形成されたドラグ収容部（１０）が、前側フランジ部と共に前方へ移動させられてしまい、ドラグ調節ツマミのスプール軸への螺合が浅くなり、ドラグフリーが出難くなる上に、ドラグの調整範囲が狭くなる不具合がある。
前記不具合を解消する為にはスプール軸を変更する必要があり、この場合リール本体を分解しなくてはならず、非常に手間がかかる上にスプール軸という別部品の変更が必要となるので、充分なコスト低減を図ることが困難である。
また、引用文献１はスプール形成時に当初定めた糸巻量から増やすことは出来るが、当初定めた糸巻量から減じることが出来ない。
【０００６】
他方、引用文献２はスプールに外装する枠片を用いることでスプール形成時に当初定めた糸巻量から減じることは可能であるが、糸巻量を増やすことは事実上不可能である。
【０００７】
本発明はこのような技術的背景のもとでなされたものである。
したがって、その目的はスピニングリールに備えられた様々な機能部材の構成を一切変更すること無く、スプール形成時に当初定めた糸巻量から自在に増減可能な魚釣用スピニングリールのスプールを提供することである。
【０００８】
【課題を解決するための手段】
上記の目的を達成するために、本発明は、リール本体の前方にスプール軸を介して支持されると共に、後側フランジ部とスカート部と釣糸巻回胴部とで構成されたスプール本体と、スプール本体に一体的に取付け固定される固定部と環状鍔部とで構成された前側フランジ部とを備え、ハンドルの回転で駆動されるロータの回転により釣糸巻回胴部に釣糸が巻回される魚釣用スピニングリールのスプールであって、
前記前側フランジ部における環状鍔部の釣糸巻回胴部側を、スプール軸方向に変位する段部を備えた環状面に形成したことを要旨とするものである。
【０００９】
また、本発明は、前記前側フランジ部は、前記釣糸巻回胴部に対して着脱可能であることを要旨とするものである。
【００１０】
【発明の実施の形態】
以下に、図面を参照しながら、本発明の実施の一形態について説明する。ただし、以下の説明は、あくまでも本発明の例示にすぎず、以下の記載によって発明の技術的範囲が限定されるものではない。
【００１１】
【実施例】
図１及び図２は本発明の第１の実施形態に係る魚釣用スピニングリールであり、図１はスピニングリールの全体図、図２は本発明に係るスプール軸方向に変位する段部を形成した前側フランジ部を備えたスプールの拡大断面図である。
【００１２】
魚釣用スピニングリールは、図１の如くリール本体１に回転可能に支持されたハンドル２の回転で、リール本体１の内部に組み込まれた図示しない公知の巻取駆動機構を駆動し、その駆動力でロータ３を駆動する構成である。
【００１３】
前記ロータ３は、前記巻取駆動機構の一部である図示しないピニオンギヤに固定され、リール本体１の前方側に回転可能に支持されている。
【００１４】
前記ロータ３を支持するピニオンギヤ内を挿通し、且つ前記リール本体内部に組み込まれた図示しない公知のオシレート機構によって前後動可能に支持されたスプール軸８の前方側端部には、スプール５がドラグ機構７を介して支持されている。
【００１５】
前記ロータ３には一対の支持腕３ａが形成されており、一対の支持腕３ａ先端には、夫々一対のベール支持部材４ａが反転自在に支持されている。
前記一対のベール支持部材４ａ間には、ベール４が架け渡されている。
【００１６】
前記一対のベール支持部材４ａの一方側には、図示しない公知の釣糸案内部が形成されており、釣糸案内部に案内された図示しない釣糸を前記ロータ３の回転で前記スプール５の釣糸巻回胴部５ｂに巻回する構成である。
【００１７】
前記ドラグ機構７は、スプール５のドラグ収容部５ｅ内に収容された複数の摩擦板７ａと、スプール軸８の先端に形成されたネジ部８ａに螺着されるドラグ調節ツマミ６とで構成される。
【００１８】
前記ドラグ機構７は、ドラグ調節ツマミ６を回動させて摩擦板７ａの押圧力を変化させることで、スプール５への制動力となるスプール５とスプール軸８との摩擦結合力を増減させ、釣糸の繰出し方向への張力に応じてスプール５の回転制動力を制御する構成である。
【００１９】
前記スプール５は、後側フランジ部５ａと、釣糸巻回胴部５ｂとスカート部５ｃからなるスプール本体５ｄ、及び、スプール本体５ｄとは別体で形成された前側フランジ部Ｆ０とで形成されている。また、スプール本体５ｄの前側端部には周方向に複数のネジ孔５ｆが形成された固定部５ｇが形成されている。
【００２０】
前側フランジ部Ｆ０はドラグ調節ツマミへの糸絡みを防ぐ環状突出部９ａと、径方向に突出した環状鍔部９ｂと、ドラグ調節ツマミ６が収容される環状凹部９ｃと、周方向に複数の挿通孔９ｄが形成された固定部９ｅとで構成されている。
【００２１】
前記スプール５は、前記前側フランジ部Ｆ０の固定部９ｅに形成された挿通孔９ｄと、スプール本体５ｄの固定部５ｇに形成されたネジ孔５ｆとの相対位置を合せてネジ部材１０を締め付け、前記前側フランジ部Ｆ０を前記スプール本体５ｄに一体的に固定することで構成されている。
また、スプール本体５ｄにおける釣糸巻回胴部５ｂの前方側端部には、釣糸が前記前側フランジ部Ｆ０と前記スプール本体５ｄとの当接固定部分に釣糸が浸入することを阻止する環状で先細状の突起５ｈが形成されている。
【００２２】
前記前側フランジ部Ｆ０における環状鍔部９ｂの釣糸巻回胴部側の環状面９ｆには、環状鍔部９ｂをスプール軸方向へ変位させるための段部９ｇが形成されている。
【００２３】
前記の如く、前側フランジ部Ｆ０をスプール軸方向に変位する段部９ｇを備えた環状面９ｆとすることで、図２の仮想線で示された従来形状の前側フランジ部Ｆ１と実線で示された本発明の前側フランジ部Ｆ０とで囲われた空間Ｓ１の分だけ糸巻量を増大することが可能となる。
具体的には、同一の太さの釣糸を巻回する際、前側フランジ部に段部を形成し、環状鍔部を０．５ｍｍ程度前方に変位させることで、糸巻量を約１０％程度増やすことが可能となる。
【００２４】
また、ドラグ収容部５ｅはスプール本体に形成されているので、糸巻量を変更してもドラグ調節ツマミの位置は何ら変更されず、ドラグ機能は一切変わらないので、スプール軸との螺合量は変化せず、スプール軸の交換が不要となる。
つまり、スピニングリールに組み込まれた機能部材を一切変更せずに、前側フランジ部のみの交換で糸巻量を変更することが出来る。
【００２５】
図３は本発明に係る前側フランジ部Ｆ０をスプール本体と分離したスプールの拡大断面図、図４は別形状の前側フランジ部Ｆ１を取り付けたスプールの変形例を示した拡大断面図である。
なお、第１の実施形態と同一の構成に関しては同一の符号を用いて説明する。
【００２６】
第１の実施形態に記載されたスプール５における前側フランジ部Ｆ０は、図４の如く釣糸巻回胴部側に位置する環状面１９ｆと環状鍔部１９ｂの形状が前記第一の実施形態の前側フランジ部Ｆ０と別形状の前側フランジ部Ｆ１と変更することが出来る。
【００２７】
具体的には図３の如くネジ部材１０を緩め、前側フランジ部Ｆ０を取り外す。
その後、環状鍔部１９ｂの釣糸巻回胴部側に位置する環状面をスプール軸方向の段部９ｇの無い環状面１９ｆとした形状の前側フランジ部Ｆ１と交換する。
さらにその後、図４の如く再びネジ部材１０にて前記前側フランジ部Ｆ１をスプール本体５ｄに締め付け固定する。
【００２８】
前記の如く、前側フランジ部Ｆ０を別形状の前側フランジ部Ｆ１と交換することで、図４の実線で示された別形状の前側フランジ部Ｆ１と仮想線で示された前側フランジ部Ｆ０とで囲われた空間Ｓ２の分だけ糸巻量を減らすることが可能となる。
具体的には、同一の太さの釣糸を巻回する際、前側フランジ部に０．５ｍｍ程度の段部を形成するか否か（前側フランジ部Ｆ０と前側フランジ部Ｆ１を交互に交換すること）で、糸巻量を約１０％程度増減させることが可能となる。
【００２９】
また、ドラグ収容部５ｅは第１の実施形態と同様、スプール本体に形成されているので、糸巻量を変更してもドラグ調節ツマミの位置は何ら変更されず、ドラグ機能は一切変わらないので、スプール軸との螺合量は変化せず、スプール軸の交換が不要となる。
つまり、スピニングリールに組み込まれた機能部材を一切変更せずに、前側フランジ部のみの交換で糸巻量を変更することが出来る。
【００３０】
図５〜図７は本発明の第２の実施形態に係る図であり、図５は第２の実施形態のスプールにおける標準の前側フランジ部Ｆ２を取り付けた状態の拡大断面図、図６は異なる形状の前側フランジ部Ｆ３を取り付けた後の拡大断面図、図７は更に異なる形状の前側フランジ部Ｆ４を取り付けた後の拡大断面図である。
なお、第１の実施形態と同一の構成に関しては同一の符号を用いて説明する。
【００３１】
第２の実施形態に係るスプール２５は、図５の如く、第１の実施形態のスプールにおけるスプール本体に形成された釣糸巻回胴部の前方側端部の突起を無くし、標準の前側フランジ部Ｆ２の固定部２９ｅとスプール本体２５ｄの固定部２５ｇとの固定部分に釣糸が浸入することを阻止する環状で先細状の突起２９ｈが、前側フランジ部Ｆ２における釣糸巻回胴部２５ｂの前部に形成された固定部２５ｇの端部外周に嵌合して構成されている。
突起２９ｈの釣糸巻回胴部２５ｂとの嵌合対向面には、スプール軸方向に変位する段部２９ｇが形成されている。
他の構成は第１の実施形態と略同一である。
【００３２】
前記の如く構成された第２の実施形態のスプール２５における前記前側フランジ部Ｆ２は、図６及び図７の如く釣糸巻回胴部側に位置する環状面２９ｆと環状鍔部２９ｂの形状が異なる前側フランジ部Ｆ３又は前側フランジ部Ｆ４と変更することが出来る。
【００３３】
具体的には図５の如くネジ部材１０を緩め、前側フランジ部Ｆ２を取り外す。
その後、図６のように前側フランジ部Ｆ２における環状鍔部及び突起を後方に所定量変位させて環状鍔部３９ａ及び突起３９ｈとし、釣糸巻回胴部側に位置する環状面を後方に所定量変位させるべく延長されたスプール軸方向の段部３９ｇによって後方変位した環状面３９ｆとで構成した前側フランジ部Ｆ３と交換する。
さらにその後、再びネジ部材１０にて前側フランジＦ３をスプール本体２５ｄに締め付け固定する。
【００３４】
前記の如く、前側フランジ部Ｆ２を前側フランジ部Ｆ３と交換することで、図６の仮想線で示された前側フランジ部Ｆ２と実線で示された前側フランジ部Ｆ３とで囲われた空間Ｓ３の分だけ糸巻量を減少することが可能となる。
具体的には、同一の太さの釣糸を巻回する際、前側フランジ部に段部を形成し、環状鍔部を０．５ｍｍ程度後方に変位させることで、糸巻量を約１０％程度減らすことが可能となる。
【００３５】
また、ドラグ収容部２５ｅはスプール本体に形成されているので、糸巻量を変更してもドラグ調節ツマミの位置は何ら変更されず、ドラグ機能は一切変わらないので、スプール軸とドラグ調節ツマミの螺合量は変化せず、スプール軸の交換が不要となる。
つまり、スピニングリールに組み込まれた機能部材を一切変更せずに、前側フランジ部のみの交換で糸巻量を変更することが出来る。
【００３６】
さらに、第２の実施形態における前側フランジ部Ｆ２に形成された環状鍔部２９ｂを、第１の実施形態における前側フランジ部Ｆ０に形成された環状鍔部の如く前方側に変位させて段部４９ｇを形成した前側フランジ部Ｆ４と組み合わせて形成させることも可能である。
【００３７】
具体的には図５の如くネジ部材１０を緩め、前側フランジ部Ｆ２を取り外す。
その後、図７のように前側フランジ部Ｆ２における環状鍔部を前方に所定量変位させて環状鍔部４９ａとし、釣糸巻回胴部側に位置する環状面を所定量変位させて環状面にスプール軸方向の段部４９ｇを形成した環状面４９ｆとで構成した前側フランジ部Ｆ４と交換する。
さらにその後、再びネジ部材１０にて前側フランジＦ４をスプール本体２５ｄに締め付け固定する。
【００３８】
前記の如く、前側フランジ部Ｆ２を前側フランジ部Ｆ４と交換することで、図７の仮想線で示された前側フランジ部Ｆ２と実線で示された前側フランジ部Ｆ４とで囲われた空間Ｓ４の分だけ糸巻量を増加することが可能となる。
具体的には、同一の太さの釣糸を巻回する際、前側フランジ部に段部を形成し、環状鍔部を０．５ｍｍ程度前方に変位させることで、糸巻量を約１０％程度増加させることが可能となる。
【００３９】
前記の如く、前記標準の前側フランジ部Ｆ２を、糸巻量増減用の前側フランジ部Ｆ３、Ｆ４と適宜選択して交換することで、糸巻量を増減可能となる。
なお前記の第１及び第２の実施形態において、前側フランジ部の変位でずれてしまう糸巻位置は、従来から公知の調整ワッシャ等を用いて、糸巻位置を調整すれば良好な糸巻状態を維持可能である。
【００４０】
なお、前側フランジ部のスプール軸方向変位の際に、前側鍔部の径方向寸法を併せて変更することで、例えば前側フランジ部の前方変位時に前側鍔部の直径を拡大させることで糸巻量をさらに増大させる、或いは前側フランジ部の後方変位時に前側鍔部の直径を縮小させることで糸巻量をさらに減少させる等、糸巻量をさらに大きく変位させることが出来る。
【００４１】
又、前側鍔部の変位方向と径方向寸法の変更の組み合わせを逆転、即ち前側鍔部拡大時に前側フランジ部を後方変位させる、或いは前側鍔部縮小時に前側フランジ部を前方変位させることで、糸巻量の調整をさらに細かく行うことが可能となる。
【００４２】
なお、前側フランジ部のスプール本体への取り付け手段は、第１及び第２の実施形態の如くネジ部材によって固定される手段に限定されるものではなく、スプール本体に前側フランジ部を直接螺合させる、或いはスプール本体と、スプール本体に螺合するナット部材とで前側フランジ部を挟着固定する等、従来から公知の前側フランジ部の取り付け手段を用いても、本発明の効果を奏し得るものであることは言うまでもない。
【００４３】
【発明の効果】
以上説明したように、本発明によれば、スピニングリール組み込まれたドラグ機構やスプール軸などの機能部材を一切変更せずに、前側フランジ部の交換のみで糸巻量の変更が可能となる。
前記効果によって、異なる糸巻量を必要とするスプール製作時に、新たに金型を起こす必要が無くなり、大幅なコストダウンが可能となる。
また前側フランジ部を、変位方向を変えた複数の異なる形状の前側フランジ部に交換可能とすることで、スプール本体を変更せずに糸巻量を増大および減少どちらも実現可能となる効果を奏する。
【図面の簡単な説明】
【図１】本発明の第１の実施形態に係る魚釣用スピニングリールの全体図である。
【図２】同魚釣用スピニングリールの要部である、スプールの拡大断面図である。
【図３】本発明の第１の実施形態の変形例に係る魚釣用スピニングリールの要部である、スプールの拡大分解断面図である。
【図４】同魚釣用スピニングリールにおける、標準の前側フランジ部Ｆを取り付けたスプールの拡大断面図である。
【図５】本発明の第２の実施形態のスピニングリールにおける、標準の前側フランジ部Ｆ２を取り付けたスプールの拡大断面図である。
【図６】同スピニングリールにおける、前側フランジ部Ｆ３を取り付けたスプールの拡大断面図である。
【図７】同スピニングリールにおける、前側フランジ部Ｆ４を取り付けたスプールの拡大断面図である。
【符号の説明】
１  リール本体
２  ハンドル
３  ロータ
５、２５  スプール
５ａ、２５ａ  後側フランジ部
５ｂ、２５ｂ  釣糸巻回胴部
５ｃ、２５ｃ  スカート部
５ｄ、２５ｄ  スプール本体
５ｅ、２５ｅ  ドラグ収容部
５ｇ、２５ｇ  固定部
６  ドラグ調節ツマミ
７  ドラグ機構
８  スプール軸
Ｆ０、Ｆ１、Ｆ２、Ｆ３、Ｆ４  前側フランジ部
９ｂ、１９ｂ、２９ｂ、３９ｂ、４９ｂ  環状鍔部
９ｄ、１９ｄ、２９ｄ、３９ｄ、４９ｄ  挿通孔
９ｅ、１９ｅ、２９ｅ、３９ｅ、４９ｅ  固定部
９ｆ、１９ｆ、２９ｆ、３９ｆ、４９ｆ  環状面
９ｇ、２９ｇ、３９ｇ、４９ｇ  段部
１０  ネジ部材
Ｓ１、Ｓ２、Ｓ３、Ｓ４  空間
【図１】
2005013115.tif 000003
【図２】
2005013115.tif 000004
【図３】
2005013115.tif 000005
【図４】
2005013115.tif 000006
【図５】
2005013115.tif 000007
【図６】
2005013115.tif 000008
【図７】
2005013115.tif 000009